(57)【特許請求の範囲】
【請求項１】
容器の一方に孔部を形成し、この孔部に、容器内が加圧された時に外方へ開孔する弁体を設け、容器の前方に前記孔部を覆い吐出部となるノズル部材を取り付け、容器の他方内側には、前後摺動自在にピストン体を水密に嵌着し、このピストン体に歯牙修復用の液体成分Ａを内包せしめるとともに前記容器内には液体または粉体成分Ｂを密閉して内包せしめ、ピストン体を後方へ摺動させて前記容器内を減圧状態にした後に前記ピストン体を後方より圧縮して内包する液体成分を前記容器内に吐出せしめ、減圧状態のまま容器内の液体成分または粉体成分Ｂとのミキシング操作を行った後、前記ピストン体を前方へ摺動させて混合錬和した修復材を前記ノズル部材より吐出せしめることができるよう、前記容器および前記ピストン体の外周部または端部にそれぞれ押引用の係合部を設けたことを特徴とする歯牙修復材用カプセル。
【請求項２】
容器の一方に孔部を形成し、この孔部に、容器内が加圧された時に外方へ開孔する弁体を設け、容器の前方に前記孔部を覆い吐出部となるノズル部材を取り付け、容器の他方内側には、前後摺動自在にピストン体を水密に嵌着し、このピストン体の内側に軟材質の内容器を固着し、この内容器に歯牙修復用の液体成分Ａを内包せしめるとともに前記容器内には液体または粉体成分Ｂを密閉して内包せしめ、ピストン体を後方へ摺動させて前記容器内を減圧状態にした後に前記内容器を後方より圧縮して内包する液体成分を前記容器内に吐出せしめ、減圧状態のまま容器内の液体成分または粉体成分Ｂとのミキシング操作を行った後、前記ピストン体を前方へ摺動させて混合錬和した修復材を前記ノズル部材より吐出せしめることができるよう、前記容器および前記ピストン体の外周部または端部にそれぞれ押引用の係合部を設けたことを特徴とする歯牙修復材用カプセル。
【請求項３】
前記ピストン体の外周壁前端部に全周リブを形成し、また、前記容器の内周壁には、ピストン体を後方へ摺動させた際に係合係止可能な全周凹部を形成したことを特徴とする請求項１または請求項２に記載の歯牙修復材用カプセル。
【請求項４】
前記ピストン体の内側後方部にプランジャー部材を摺動可能に嵌着したことを特徴とする請求項１乃至３の何れかに記載の歯牙修復材用カプセル。
【請求項５】
前記ピストン体の前面壁に、薄肉部と、この薄肉部に更に円周状の極薄肉部を形成し、また、ピストン体の内側には、前方部に前記薄肉部を突破可能な突起部を有するプランジャー部材を摺動可能かつ水密に嵌着したことを特徴とする請求項１または請求項３に記載の歯牙修復材用カプセル。
【請求項６】
前記内容器の前方部に、内容器が加圧された時に外方へ開孔するイージーピール性のフィルム弁を設けたことを特徴とする請求項１乃至４の何れかに記載の歯牙修復材用カプセル。
【請求項７】
前記内容器をフィルム状部材よりなる蓋面部とカップ状収容部とにより形成し、前記ピストン体の前面壁の内側に、内容器が加圧された時に前記蓋面部を突破可能な突起部を設けたことを特徴とする請求項１乃至４の何れかに記載の歯牙修復材用カプセル。
【発明の詳細な説明】
【０００１】
【発明の属する技術分野】
本発明は、歯科治療における歯牙の修復のための液体または粉体成分と液体成分との２成分からなる歯牙修復用材料を混合錬和し、歯牙の必要部位に投与することができる歯牙用修復材用カプセルに関する。
【０００２】
【従来の技術】
従来の歯牙修復材用カプセルは、液体成分Ａと液体または粉体成分Ｂを混合錬和させるとき、カプセル内の空気を介在させたまま常圧の状態で成分Ａと成分Ｂのミキシングを行うものであった。そのため、混合錬和した修復材内に細かい気泡が混入し、歯牙に投与使用した際、固まった修復材内に空隙ができることがあった。その結果、その部位の強度が弱くなり、しばしば欠けを生じたりすることがあった。また露出した空隙が白斑となって見えることがあり、見た目に好ましくないことがあった。
【０００３】
【発明が解決しようとする課題】
気泡の混入による空隙が少ない歯牙修復材を提供することを目的とし、また、修復材成分の混合錬和がし易い歯牙用修復材用カプセルを提供することを目的とする。
【０００４】
【課題を解決するための手段】
本発明は、上記に鑑みてなされたものであり、容器の一方に孔部を形成し、この孔部に、容器内が加圧された時に外方へ開孔する弁体を設け、容器の前方に前記孔部を覆い吐出部となるノズル部材を取り付け、容器の他方内側には、前後摺動自在にピストン体を水密に嵌着し、このピストン体に歯牙修復用の液体成分Ａを内包せしめるとともに前記容器内には液体または粉体成分Ｂを密閉して内包せしめ、ピストン体を後方へ摺動させて前記容器内を減圧状態にした後に前記ピストン体を後方より圧縮して内包する液体成分を前記容器内に吐出せしめ、減圧状態のまま容器内の液体成分または粉体成分Ｂとのミキシング操作を行った後、前記ピストン体を前方へ摺動させて混合錬和した修復材を前記ノズル部材より吐出せしめることができるよう、前記容器および前記ピストン体の外周部または端部にそれぞれ押引用の係合部を設けたことを第１の要旨とし、容器の一方に孔部を形成し、この孔部に、容器内が加圧された時に外方へ開孔する弁体を設け、容器の前方に前記孔部を覆い吐出部となるノズル部材を取り付け、容器の他方内側には、前後摺動自在にピストン体を水密に嵌着し、このピストン体の内側に軟材質の内容器を固着し、この内容器に歯牙修復用の液体成分Ａを内包せしめるとともに前記容器内には液体または粉体成分Ｂを密閉して内包せしめ、ピストン体を後方へ摺動させて前記容器内を減圧状態にした後に前記内容器を後方より圧縮して内包する液体成分を前記容器内に吐出せしめ、減圧状態のまま容器内の液体成分または粉体成分Ｂとのミキシング操作を行った後、前記ピストン体を前方へ摺動させて混合錬和した修復材を前記ノズル部材より吐出せしめることができるよう、前記容器および前記ピストン体の外周部または端部にそれぞれ押引用の係合部を設けたことを第２の要旨とする。
【０００５】
【実施例】
以下本発明を詳細に説明する。図１乃至図５において、容器１の前方（以下、図中左方を前方、図中右方を後方という）の壁部２には孔部３が形成されている。この孔部３には前記容器１が後方より加圧された時に前方へ開弁する逆止弁４が取り付けられている。前記容器１は例えばポリエチレンとポリプロピレンをブレンドした樹脂による成形品よりなり、また、前記逆止弁４もポリエチレンとポリプロピレンをブレンドした単層または多層の樹脂フィルムよりなり、ヒートシールや超音波溶着等の方法により前記逆止弁４が前記容器１に固着されている。ここで、ヒートシールの温度をポリエチレンの融点に合わせると、ポリプロピレンは溶融しないがポリエチレンは溶けて逆止弁４が容器１にポイント的（点部分的）に融着され、通常の状態では相互に密着しているが一定以上の剥離力が加わると相互剥離するいわゆるイージーピール性の逆止弁が形成される。
本例では上記の方法でもって逆止弁４を形成したものを採用しているが、この他にイージーピール性を出すための組み合わせの例は多くあるので、他の方法による形成方法を採用してもよいし、また、ヒートシールではなく剥がれやすい再剥離性の接着剤を介在させて逆止弁４を固着する方法を採用してもよい。
尚、前記壁部２の前方には、前記孔部３を覆い吐出部となるノズル部材５が圧入や螺合などの方法により取り付けられている。
【０００６】
容器１の内側には、後方よりピストン体６が水密にかつ前後摺動自在に嵌着されている。このピストン体６の前面の壁部７には孔部８が形成されている。更に、前記ピストン体の内側には、蓋面部９とカップ状収容部１０とよりなる軟材質の内容器１１が固着されている。本例では、前記壁部７に形成された全周リブ部７ａに前記蓋面部９の周縁部９ａとカップ状収容部１０の鍔部１０ａとをヒートシールすることにより内容器１１が前記壁部７に固着されている。
内容器１１の前方の蓋面部９には孔部９ｂが形成されている。この孔部９ｂには前記内容器１１が後方より加圧された時に前方へ開弁する逆止弁１１ａが取り付けられている。前記内容器１１の蓋面部９は例えばポリエチレンとポリプロピレンをブレンドした樹脂フィルムよりなり、また、前記逆止弁１１ａも前記と同様の単層または多層の樹脂フィルムよりなり、ヒートシールや超音波溶着等の方法により前記逆止弁１１ａが前記蓋面部９に固着されている。
前記ピストン体６の外周壁６ａの前端部には全周リブ６ｂが形成されている。また、前記容器１の内周壁１ａには、ピストン体６を後方へ摺動させた際に前記全周リブ６ｂを水密に係合係止可能な全周凹部１ｂを形成している。
尚、図１における参照符号Ａは内容器１１に密封内包された歯牙修復用の液体成分であり、また、参照符号Ｂは容器１の内側に密封内包された歯牙修復用の液体または粉体成分である。
【０００７】
前記容器１の外周後端部には係合鍔部１２が形成されている。また、前記ピストン体６の外周後端部にも係合鍔部１３が形成されている。これら係合鍔部１２、係合鍔部１３は後述するアプライヤー器具に歯牙修復材用カプセルをセッテイングして混合錬和を行う際に、アプライヤー器具の押し操作または引っ張り操作のための係合凹部に係脱されるためのものである。これら係合鍔部１２、１３は、本例では外周後端部に形成した鍔状のもので例示したが、必ずしも鍔状のものでなくともよく、要はアプライヤー器具の押し引きの係合部に係合着脱可能な形状であれば適宜選択形成されてよいものである。また、形成部位も外周部に限らず、後端部などに係合部を形成してもよい。
【０００８】
図６にアプライヤー器具１４を例示する。前方に歯牙修復材用カプセルを着脱可能に半割筒部１５が設けられ、この半割筒部１５の内側には、図示しないが前記容器１の係合鍔部１２を係合する係合凹部１５ａが形成されており、また、前記ピストン体６の係合鍔部１３を係合する係合部１５ｂが形成された引き用筒体１５ｃが装着されている。前記引き用筒体１５ｃの更に内側には押し用ロッド１５ｄが同軸で配設されている。参照符号１６は引き用筒体１５ｃを後退または初期位置に復帰させる時に操作するレバーであり、参照符号１７は押し用ロッド１５ｄを前進させる時に操作するレバーであり、また、参照符号１８は押し用ロッド１５ｄを初期位置に復帰させるときに操作するレバーである。
【０００９】
次に、図７乃至図１７に基いて作用を説明する。先ず、容器１の係合鍔部１２が前記アプライヤー器具１４の係合凹部１５ａ幅の後方側に位置する状態で、歯牙修復材用カプセルをアプライヤー器具１４にセッテイングする。この時、ピストン体６の係合鍔部１３は引き用筒体１５ｃの係合部１５ｂの後方になるよう、あらかじめ初期位置に引き用筒体１５ｃをセットしておく。また、押し用ロッド１５ｄも初期位置であるピストン体６の後方に配置しておく（図７参照）。
次いで、アプライヤー器具１４を操作し、ピストン体６の全周リブ６ｂが容器１の全周凹部１ｂに係合係止する所定の位置までピストン体６を後退せしめる。このピストン体６の引き操作は容器１内が密閉された状態で行われるので、減圧の状態となり、また、所定の位置までピストン体６が後退せしめられた後も係合係止部の水密係合により、容器１が減圧の状態に保たれる（図８参照）。
【００１０】
次にアプライヤー器具１４を操作して押し用ロッド１５ｄを前進させ、内容器１１を押圧する。この押圧により内容器１１は加圧され、逆止弁１１ａが開弁して内包された液体成分Ａが容器１内に流入する。この時、容器１内は減圧状態にあるので、内容器１１内の液体成分Ａは容易に容器１内に流入することができる。続けて押し棒ロッド１５ｄを前進させ内容器１１の圧縮が完了した後、押し棒ロッド１５ｄを初期位置まで後退させて歯牙修復材用カプセルをアプライヤー器具１４から取り外し、混合錬和用のミキサー（図示しない）にかけ、液体成分Ａを容器１内の液体または粉体成分Ｂと錬和せしめる（図９乃至図１２参照）。
尚、減圧状態のまま液体成分Ａと液体成分または粉体成分Ｂとのミキシング操作を行うので、容器１内の気泡の発生が少なく、また、容器１内で修復材成分が動き易く、特に、液体成分と粉体成分との混合の場合には液体成分の表面濡れ性がよくなるので、均一に短時間で錬和することができる。
【００１１】
次に、容器１の係合鍔部１２が前記アプライヤー器具１４の係合凹部１５ａ幅の前方側に位置する状態で、歯牙修復材用カプセルをアプライヤー器具１４にセッテイングする。次いで、歯牙修復材用カプセルのノズル部材５先端を修復する歯牙の部位に当て、アプライヤー器具１４を操作して押し用ロッド１５ｄを前進させ、内容器１１を介してピストン体６を押圧する。この押圧により容器１は加圧され、逆止弁４が開弁して錬和された歯牙修復材がノズル部材５より吐出せしめられる。この時、容器１内は減圧状態にあったので、容器１内の歯牙修復材は容易にノズル部材５より流出することができ、また、修復材への気泡の混入も少なく、その結果、歯牙修復材の硬化も均一に堅くせしめることができる。
使用後は、歯牙修復材用カプセルをアプライヤー器具１４より取り外して廃棄またはリサイクルする（図１３乃至図１７参照）。
【００１２】
次に、第２例を説明する。前記例と同様の構成部分については説明を省略する。  図１８において、ピストン体６の内側後方部にはプランジャー部材１９が摺動可能に嵌着せしめられている。このプランジャー部材１９は前端部に凸状部１９ａを有するとともに後部には孔１９ｂが形成され、この孔１９ｂに前述の押し用ロッド１５ｄが挿入されて、プランジャー部材１９を介して内容器１１の押圧またはピストン体の前進をさせることができるようになっている。凸状部１９ａは錬和した歯牙修復材を容器１より全量吐出させるために前述の孔部３に合わせて形成したものである。
本例によれば、容器１の減圧状態でのミキシング（混合錬和）の際、圧縮された内容器１１の後方戻りを防止することができ、ミキシングをより容易に行うことができる。
【００１３】
次に、変形例を説明する。前記例と同様の構成部分については説明を省略する。  図１９において、ピストン体６の内側には、内容器１１の鍔部１０ａを後方より圧接して密閉する固定筒２０が圧入や螺合などの方法により取り付けられている。ヒートシールを行わずに内容器１１をピストン体６に取り付け固定できるものである。
また、図２０においては、ピストン体６の全周リブ６ｂの部位にＯリング２１が付設されている。容器１内の密閉を保つ上で有利なものである。
図２１においては、容器１の孔部３に、ゴムや樹脂の成形品よりなる片ヒンジ弁２２（側面図２２参照）が取り付けられている。また、図２３においては、孔部３にゴム成形品よりなり、中央部に自己閉塞性のスリット２３を形成したスリット弁２４（側面図２４参照）が取り付けられている。何れも、ヒートシールなどの溶着の方法によらず孔部３に逆止弁を設ける簡易な方法である。
【００１４】
次に、第３例を説明する。前記例と同様の構成部分については説明を省略する。  図２５において、ピストン体６の内側後方部にはプランジャー部材２５が摺動可能かつ水密に嵌着せしめられ、液体成分Ａの収容室２６が形成されている。前述の例の内容器を構成する必要がないので、製造コストを削減する上で有利な方法である。図２６に示す変形例は、前記ピストン体６の前面壁２７に、薄肉部２７ａと、この薄肉部２７ａに更に円周状の極薄肉部２７ｂを形成し、また、ピストン体６の内側には、前方部に前記薄肉部２７ｂを突破可能な突起部２８を有するプランジャー部材２９を摺動可能かつ水密に嵌着したものである。製造コストを削減する上で更に有利な方法である。
【００１５】
次に、第４例を説明する。前記例と同様の構成部分については説明を省略する。  図２７、図２９において、内容器３０はフィルム状部材よりなる蓋面部３０ａとカップ状収容部３０ｂとにより形成され、ピストン体６の前面壁３１の内側には、内容器３０が加圧された時に前記蓋面部３０ａを突破可能な突起部３１ａ（側面図２８参照、一文字状）、または突起部３１ｂ（側面図３０参照、円筒ポンチ状）が設けられている。参照符号３３は孔である。
何れも、内容器を製造する際のコスト上で有利であるばかりでなく、内容器の密閉状態を長期間保つ上でも有利なものである。
【００１６】
【発明の効果】
本発明は、容器の一方に孔部を形成し、この孔部に、容器内が加圧された時に外方へ開孔する弁体を設け、容器の前方に前記孔部を覆い吐出部となるノズル部材を取り付け、容器の他方内側には、前後摺動自在にピストン体を水密に嵌着し、このピストン体に歯牙修復用の液体成分Ａを内包せしめるとともに前記容器内には液体または粉体成分Ｂを密閉して内包せしめ、ピストン体を後方へ摺動させて前記容器内を減圧状態にした後に前記ピストン体を後方より圧縮して内包する液体成分を前記容器内に吐出せしめ、減圧状態のまま容器内の液体成分または粉体成分Ｂとのミキシング操作を行った後、前記ピストン体を前方へ摺動させて混合錬和した修復材を前記ノズル部材より吐出せしめることができるよう、前記容器および前記ピストン体の外周部または端部にそれぞれ押引用の係合部を設けた、あるいは、容器の一方に孔部を形成し、この孔部に、容器内が加圧された時に外方へ開孔する弁体を設け、容器の前方に前記孔部を覆い吐出部となるノズル部材を取り付け、容器の他方内側には、前後摺動自在にピストン体を水密に嵌着し、このピストン体の内側に軟材質の内容器を固着し、この内容器に歯牙修復用の液体成分Ａを内包せしめるとともに前記容器内には液体または粉体成分Ｂを密閉して内包せしめ、ピストン体を後方へ摺動させて前記容器内を減圧状態にした後に前記内容器を後方より圧縮して内包する液体成分を前記容器内に吐出せしめ、減圧状態のまま容器内の液体成分または粉体成分Ｂとのミキシング操作を行った後、前記ピストン体を前方へ摺動させて混合錬和した修復材を前記ノズル部材より吐出せしめることができるよう、前記容器および前記ピストン体の外周部または端部にそれぞれ押引用の係合部を設けたので、気泡の混入による空隙が少ない、均一に堅く硬化する歯牙修復材を提供することができる。また、減圧状態で混合されるので容器内で修復材成分が動き易く、特に、液体成分と粉体成分との混合の場合には液体成分の表面濡れ性がよくなるので、均一に短時間で錬和することができるものである。
【図面の簡単な説明】
【図１】本発明を示す縦断面図。
【図２】図１の要部拡大図。
【図３】図１の要部拡大図。
【図４】図１の要部拡大図。
【図５】図１の要部拡大図。
【図６】アプライヤー器具の外観図。
【図７】作動を説明する図。
【図８】作動を説明する図。
【図９】作動を説明する図。
【図１０】作動を説明する図。
【図１１】作動を説明する図。
【図１２】作動を説明する図。
【図１３】アプライヤー器具の外観図。
【図１４】作動を説明する図。
【図１５】作動を説明する図。
【図１６】作動を説明する図。
【図１７】作動を説明する図。
【図１８】第２例を示す縦断面図。
【図１９】変形例を示す縦断面図。
【図２０】変形例を示す縦断面図。
【図２１】変形例を示す縦断面図。
【図２２】図２１の部分側面図。
【図２３】変形例を示す縦断面図。
【図２４】図２３の部分側面図。
【図２５】第３例を示す縦断面図。
【図２６】変形例を示す縦断面図。
【図２７】第４例を示す縦断面図。
【図２８】図２７の部分側面図。
【図２９】変形例を示す縦断面図。
【図３０】図２９の部分側面図。
【符号の説明】
１    容器
１ａ  内周壁
１ｂ  全周凹部
２    壁部
３    孔部
４    逆止弁
５    ノズル部材
６ａ  外周壁
６ｂ  全周リブ
６    ピストン体
７    壁部
７ａ  全周リブ部
８    孔部
９    蓋面部
９ａ  周縁部
９ｂ  孔部
１０    カップ状収容部
１０ａ  鍔部
１１    内容器
１１ａ  逆止弁
１２    係合鍔部
１３    係合鍔部
１４    アプライヤー器具
１５    半割筒部
１５ａ  係合凹部
１５ｂ  係合部
１５ｃ  引き用筒体
１５ｄ  押し用ロッド
１６    レバー
１７    レバー
１８    レバー
１９    プランジャー部材
１９ａ  凸状部
１９ｂ  穴
２０    固定筒
２１    Ｏリング
２２    片ヒンジ弁
２３    スリット
２４    スリット弁
２５    プランジャー部材
２６    収容室
２７    前面壁
２７ａ  薄肉部
２７ｂ  極薄肉部
２８    突起部
２９    プランジャー部材
３０    内容器
３０ａ  蓋面部
３０ｂ  カップ状収容部
３１    前面壁
３２    突起部
３３    孔
Ａ    液体成分
Ｂ    液体または粉体成分
【図１】
0004106840.tif 000002
【図２】
0004106840.tif 000003
【図３】
0004106840.tif 000004
【図４】
0004106840.tif 000005
【図５】
0004106840.tif 000006
【図６】
0004106840.tif 000007
【図７】
0004106840.tif 000008
【図８】
0004106840.tif 000009
【図９】
0004106840.tif 000010
【図１０】
0004106840.tif 000011
【図１１】
0004106840.tif 000012
【図１２】
0004106840.tif 000013
【図１３】
0004106840.tif 000014
【図１４】
0004106840.tif 000015
【図１５】
0004106840.tif 000016
【図１６】
0004106840.tif 000017
【図１７】
0004106840.tif 000018
【図１８】
0004106840.tif 000019
【図１９】
0004106840.tif 000020
【図２０】
0004106840.tif 000021
【図２１】
0004106840.tif 000022
【図２２】
0004106840.tif 000023
【図２３】
0004106840.tif 000024
【図２４】
0004106840.tif 000025
【図２５】
0004106840.tif 000026
【図２６】
0004106840.tif 000027
【図２７】
0004106840.tif 000028
【図２８】
0004106840.tif 000029
【図２９】
0004106840.tif 000030
【図３０】
0004106840.tif 000031